(57)【要約】【課題】中継装置の消費電力を抑制する技術を提供する。【解決手段】通信データ検出部３７は、スイッチ部３１が休止状態にあり且つすべてのＰＨＹ部のそれぞれが休止状態にある場合に、フレームを検出した場合には、フレームが検出されたポートに対応するＰＨＹ部に第一起動指令を送信する。第一起動指令を受信したＰＨＹ部は、休止状態から起動状態に切り替わり、起動状態信号をスイッチ制御部３８に送信する。起動状態信号を受信したスイッチ制御部３８は、第二起動指令をスイッチ部３１に送信する。第二起動指令を受信したスイッチ部３１は、休止状態から起動状態に切り替わる。【選択図】図１
2018074243.tif 000002
【特許請求の範囲】
【請求項１】
フレームが送受信される複数のポート（Ｐ１〜Ｐ５）と、
前記複数のポートの何れかを介して受信したフレームである受信フレームの宛先に基づき、前記複数のポートの何れかを前記受信フレームの中継先として選択し、選択された前記ポートから、前記受信フレームを送信する中継処理を実行する中継実行部を有し、前記中継実行部が前記中継処理を実行可能な状態である第一起動状態と前記中継実行部が前記中継処理を実行不可能な状態である第一休止状態とで切り替え可能なスイッチ部（３１）と、
前記ポートから入力される通信信号を受信データに変換して前記スイッチ部に出力する受信機能と前記スイッチ部から送信されたデータを通信線上で伝送される通信信号に変換して前記ポートへ出力する送信機能とを実行する通信実行部を有し、前記通信実行部が前記受信機能と前記送信機能とを実行可能な状態である第二起動状態と前記通信実行部が前記受信機能と前記送信機能とを実行不可能な状態である第二休止状態とで切り替え可能なＰＨＹ部であって、前記複数のポートのそれぞれに対応して設定される複数のＰＨＹ部（Ｙ１〜Ｙ５）と、
前記スイッチ部が前記第一休止状態にあり且つ前記複数のＰＨＹ部のそれぞれが前記第二休止状態にある場合に、前記フレームが検出された前記ポートに対応する前記ＰＨＹ部を前記第二休止状態から前記第二起動状態へ移行させる第一制御部（３７）と、
前記スイッチ部が前記第一休止状態にあり且つ前記複数のＰＨＹ部のそれぞれが前記第二休止状態にある場合に、前記複数のＰＨＹ部の何れかが前記第二休止状態から前記第二起動状態に移行すると、前記スイッチ部を前記第一休止状態から前記第一起動状態に移行させる第二制御部（３８）と、を備える
中継装置（１１）。
【請求項２】
請求項１に記載の中継装置であって、
前記スイッチ部は、前記フレームの宛先となるノード（２１〜２４）と同一のグループに属するノード（２１〜２８）を特定し、特定したノードに通信線を介して接続される前記ＰＨＹ部を前記第二休止状態から前記第二起動状態へ移行させる
中継装置。
【請求項３】
請求項２に記載の中継装置であって、
前記スイッチ部は、予め設定されたグループ毎に属するノードが登録されるグループテーブルを記憶し、前記グループテーブルを参照して、前記第二休止状態から前記第二起動状態へ移行させる前記ＰＨＹ部を決定する
中継装置。
【請求項４】
請求項１〜請求項３の何れか１項に記載の中継装置であって、
前記スイッチ部は、予め設定された内容のフレームを受信した場合には、前記フレームを検出した前記ポートと通信線を介して接続されるノードと同一のグループに属するノードを特定し、特定したノードに通信線を介して接続される前記ＰＨＹ部を前記第二起動状態から前記第二休止状態へ移行させる
中継装置。
【請求項５】
請求項４に記載の中継装置であって、
前記スイッチ部は、予め設定されたグループ毎に属するノードが登録されるグループテーブルを記憶し、前記グループテーブルを参照して、前記第二起動状態から前記第二休止状態へ移行させる前記ＰＨＹ部を決定する
中継装置。
【請求項６】
請求項１〜請求項５の何れか１項に記載の中継装置であって、
前記スイッチ部は、当該中継装置が備える前記複数のＰＨＹ部のすべてが第二休止状態である場合には、前記第一起動状態から前記第一休止状態に切り替わる
中継装置。
【発明の詳細な説明】
【技術分野】
【０００１】
本開示は、中継装置に関する。
【背景技術】
【０００２】
例えば、特許文献１には、中継装置において、省電力動作時には、ＷＡＮ側無線ＬＡＮ接続部、ＷＡＮ側携帯電話接続部、記憶部および制御部を休止状態とし、ＬＡＮ側無線ＬＡＮ接続部と接続要求検出部のみを動作させる点が記載されている。接続要求検出部は、省電力動作時に、ＬＡＮ側無線ＬＡＮ接続部を介して無線ＬＡＮ端末からの接続要求を受信するか否かを監視する。接続要求検出部は、無線ＬＡＮ端末からの接続要求を受信した場合に、制御部およびその他の休止中の各部を起動させて通常動作に移行する。
【先行技術文献】
【特許文献】
【０００３】
【特許文献１】特開２０１２−１０２６１号公報
【発明の概要】
【発明が解決しようとする課題】
【０００４】
しかしながら、上記技術では、省電力動作時に、データの送受信が行われていないにもかかわらず、データの送受信を行うＬＡＮ側無線ＬＡＮ接続部が動作しており、電力消費の低減が不十分であるという問題があった。
【０００５】
本開示は、中継装置の消費電力を抑制する技術を提供する。
【課題を解決するための手段】
【０００６】
本開示の中継装置（１１）は、複数のポート（Ｐ１〜Ｐ５）と、スイッチ部（３１）と、複数のＰＨＹ部（Ｙ１〜Ｙ５）と、第一制御部（３７）と、第二制御部（３８）と、を備える。
【０００７】
複数のポートのそれぞれは、フレームが送受信される。
スイッチ部は、中継処理を実行する中継実行部を有する。中継処理は、複数のポートの何れかを介して受信したフレームである受信フレームの宛先に基づき、複数のポートの何れかを受信フレームの中継先として選択し、選択された通信部から、受信フレームを送信する処理である。スイッチ部は、中継実行部が中継処理を実行可能な状態である第一起動状態と中継実行部が中継処理を実行不可能な状態である第二休止状態とで切り替え可能である。
【０００８】
ＰＨＹ部は複数存在し、各ＰＨＹ部が複数のポートのそれぞれに対応して設定される。
ＰＨＹ部は、受信機能と送信機能とを実行する通信実行部を有する。受信機能は、ポートから入力される通信信号を受信データに変換してスイッチ部に出力する機能である。送信機能は、スイッチ部から送信されたデータを通信線上で伝送される通信信号に変換してポートへ出力する機能である。ＰＨＹ部は、通信実行部が受信機能と送信機能とを実行可能な状態である第二起動状態と通信実行部が受信機能と送信機能とを実行不可能な状態である第二休止状態とで切り替え可能である。
【０００９】
第一制御部は、スイッチ部が第一休止状態にあり且つ複数のＰＨＹ部のそれぞれが第二休止状態にある場合に、フレームが検出されたポートに対応するＰＨＹ部を第二休止状態から第二起動状態へ移行させる。
【００１０】
第二制御部は、スイッチ部が第一休止状態にあり且つ複数のＰＨＹ部のそれぞれが第二休止状態にある場合に、複数のＰＨＹ部の何れかが第二休止状態から第二起動状態に移行すると、スイッチ部を第一休止状態から第一起動状態に移行させる。
【００１１】
このような構成によれば、データの送受信が開始されると、ＰＨＹ部およびスイッチ部が休止状態から起動状態に移行する。このため、省電力動作時であって、データの送受信が行われていない場合には、スイッチ部とともに、データの送受信を行う複数のＰＨＹ部を起動状態から休止状態に移行させることができるので、その分電力消費を低減させることができる。
【００１２】
したがって、中継装置の消費電力を抑制することができる。
なお、この欄及び特許請求の範囲に記載した括弧内の符号は、一つの態様として後述する実施形態に記載の具体的手段との対応関係を示すものであって、本開示の技術的範囲を限定するものではない。
【図面の簡単な説明】
【００１３】
【図１】通信ネットワークの構成を表す構成図である。
【図２】グループテーブルを表す説明図である。
【図３】ウェイクアップ処理＿１を表すフローチャートである。
【図４】ウェイクアップ処理＿２を表すフローチャートである。
【図５】ウェイクアップ処理＿３を表すフローチャートである。
【図６】ウェイクアップ処理＿４を表すフローチャートである。
【図７】ウェイクアップ処理＿５を表すフローチャートである。
【図８】スリープ処理＿１を表すフローチャートである。
【図９】スリープ処理＿２を表すフローチャートである。
【発明を実施するための形態】
【００１４】
以下、図面を参照しながら、本開示の実施形態を説明する。
［実施形態］
［１．構成］
図１に示す通信ネットワーク１は、例えば乗用車等の車両に搭載されたイーサネットネットワークであり、車両内の通信システムを構成している。イーサネットは、登録商標である。
【００１５】
図１に示すように、通信ネットワーク１は、中継装置１１，１２と、ＥＣＵ２１〜２８と、を備える。ＥＣＵは、Electronic Control Unitの略であり、電子制御装置のことである。
【００１６】
中継装置１１，１２は、ＥＣＵ２１〜２８間の通信を中継するイーサネットスイッチとしての機能を備える。中継装置１１，１２は、何れも同様の構成を有するため、以下では、中継装置１１について説明する。
【００１７】
中継装置１１は、フレームが送受信される５つのポートＰ１〜Ｐ５を備える。中継装置１１のポートＰ１〜Ｐ４には、通信線を介してＥＣＵ２１〜２４がそれぞれ接続されている。中継装置１１のポートＰ５には、通信線を介して中継装置１２のポートＰ５が接続されている。
【００１８】
中継装置１１は、ｉが１〜５を表すこととして、ポートＰｉ毎に、ＰＨＹ部Ｙｉを備える。ポートＰｉとＰＨＹ部Ｙｉとは、通信線で接続されている。ＰＨＹ部Ｙｉは、送信機能を備える。送信機能は、スイッチ部３１からの送信データを、通信線上で伝送される通信信号に変換して当該ＰＨＹ部に対応するポートへ出力する機能である。ＰＨＹ部Ｙｉは、受信機能を備える。受信機能は、当該ＰＨＹ部に対応するポートから入力される通信信号を受信データに変換してスイッチ部３１に出力する機能である。ＰＨＹ部Ｙｉは、トランシーバとして機能するハードウェア回路である。ＰＨＹは、Physical layerの略である。
【００１９】
各ＰＨＹ部Ｙｉは、受信機能と送信機能を行う通信実行部Ｔｉを有する。各ＰＨＹ部Ｙｉは、通信実行部Ｔｉが受信機能と送信機能とを実行可能な起動状態と通信実行部Ｔｉが受信機能と送信機能とを実行不可能な休止状態とで切り替え可能である。各ＰＨＹ部は、休止状態である場合に休止状態から起動状態へ移行する旨の指示を受けると休止状態から起動状態へ移行し、起動状態である場合に起動状態から休止状態へ移行する旨の指示を受けると起動状態から休止状態へ移行する機能を有する。ＰＨＹ部の休止状態は第二休止状態に該当し、ＰＨＹ部の起動状態は第二起動状態に該当する。各ＰＨＹ部Ｙｉは、休止状態から起動状態に移行した場合に、その旨を示す信号である起動状態信号を後述するスイッチ制御部３８に送信する機能を有する。
【００２０】
中継装置１１は、スイッチ部３１を備える。スイッチ部３１は、中継処理を行う。中継処理は、イーサネット規格に従った中継のための処理である。より具体的には、中継処理は、複数のポートの何れかを介して受信したフレームの宛先に基づき、複数のＰＨＹ部の何れかを受信フレームの中継先として選択し、選択されたＰＨＹ部から、受信フレームを送信する処理である。受信フレームには当該フレームの宛先に関する情報が格納されており、スイッチ部３１は、この情報を参照することにより、当該フレームの宛先となるＥＣＵを特定することができる。
【００２１】
スイッチ部３１は、中継処理を実行する中継実行部３１Ａを有する。スイッチ部３１は、中継実行部３１Ａが中継処理を実行可能な起動状態と中継実行部３１Ａが中継処理を実行不可能な休止状態とで切り替え可能である。スイッチ部３１は、休止状態である場合に休止状態から起動状態へ移行する旨の指示を受けると休止状態から起動状態へ移行し、起動状態である場合に起動状態から休止状態へ移行する旨の指示を受けると起動状態から休止状態へ移行する機能を有する。スイッチ部３１の休止状態は第一休止状態に該当し、スイッチ部３１の起動状態は第一起動状態に該当する。
【００２２】
スイッチ部３１は、ＰＨＹ部に対して第三起動指令を送信する機能を有する。第三起動指令は、ＰＨＹ部に対して休止状態から起動状態に切り替わるよう要求する旨の信号である。
【００２３】
スイッチ部３１は、中継装置１１に接続されるＥＣＵ２１〜２４のそれぞれが休止状態または起動状態の何れであるかを記憶する機能を有する。
スイッチ部３１は、ポートＰｉおよびＰＨＹ部Ｙｉ毎に、バッファＢｉを備える。ＰＨＹ部ＹｉとバッファＢｉとは、通信線で接続されている。バッファＢｉにおける一部の領域は、受信データが格納される受信バッファとして使用される。また、バッファＢｉの領域のうち、受信バッファとは異なる領域の一部又は全部は、送信データが格納される送信バッファとして使用される。
【００２４】
スイッチ部３１には、ＭＡＣアドレステーブルおよびグループテーブルが記憶されている。ＭＡＣアドレステーブルには、その中継装置における各ポートについて、そのポートの先に接続されている装置のＭＡＣアドレスが登録されている。グループテーブルには、図２に示すように、予め設定されたグループ毎に属するノードが登録されている。例えば、グループＡには、ＥＣＵ１−１、ＥＣＵ１−２、ＥＣＵ１−３、ＥＣＵ２−１、およびＥＣＵ２−２が属するといった具合である。
【００２５】
スイッチ部３１は、例えば、多数の論理回路を含むデジタル回路によって構成されるが、デジタル回路とアナログ回路の組合せによって実現されても良い。また、スイッチ部３１は、ＣＰＵと、ＲＡＭ、ＲＯＭ、フラッシュメモリ等の半導体メモリと、を有する周知のマイクロコンピュータを中心に構成されても良い。この場合、スイッチ部３１の各種機能は、ＣＰＵが非遷移的実体的記録媒体に格納されたプログラムを実行することにより実現される。この例では、上記半導体メモリが、プログラムを格納した非遷移的実体的記録媒体に該当する。また、このプログラムが実行されることで、プログラムに対応する方法が実行される。また、スイッチ部３１を構成するマイクロコンピュータの数は１つでも複数でも良い。
【００２６】
中継装置１１は、通信データ検出部３７を備える。通信データ検出部３７は、ポートＰｉとＰＨＹ部Ｙｉとを接続する５本の通信線のそれぞれに接続されている。通信データ検出部３７は、ＰＨＹ部Ｙｉの何れかに送信されたフレームを検出する。通信データ検出部３７は、ＰＨＹ部Ｙｉに通信線を介して接続されている。通信データ検出部３７は、フレームが検出されたポートに対応するＰＨＹ部に対して、第一起動指令を送信する機能を有する。第一起動指令は、ＰＨＹ部に対して休止状態から起動状態に切り替わるよう要求する旨の信号である。
【００２７】
通信データ検出部３７は、第一制御部に該当する。
中継装置１１は、スイッチ制御部３８を備える。スイッチ制御部３８は、ＰＨＹ部Ｙｉのそれぞれに通信線を介して接続されている。スイッチ制御部３８は、スイッチ部３１に通信線を介して接続されている。スイッチ制御部３８は、スイッチ部３１に第二起動指令を送信する機能を有する。第二起動指令は、スイッチ部３１に対して休止状態から起動状態に切り替わるよう要求する旨の信号である。
【００２８】
スイッチ制御部３８は、第二制御部に該当する。
［２．処理］
中継装置１１が実行する処理について、図３〜図９のフローチャートを用いて説明する。
【００２９】
［２．１．ウェイクアップ処理＿１］
通信データ検出部３７が実行するウェイクアップ処理＿１について、図３のフローチャートを用いて説明する。
【００３０】
ウェイクアップ処理＿１は、中継装置１１の電源がオンである場合に、繰り返し実行される。
最初のステップＳ１１０では、通信データ検出部３７が、ポートの何れかでフレームを検出したか否かを判断する。一例を挙げると、通信データ検出部３７が、フレームの直前に送信されるプリアンブルを検出した場合に、ポートでフレームを検出したと判断するといった具合である。フレームを検出したと判断された場合には、Ｓ１２０に移行する。フレームを検出していないと判断された場合には、Ｓ１１０を繰り返し実行することにより、フレームを検出したと判断されるまで待機する。
【００３１】
Ｓ１２０では、通信データ検出部３７が、フレームが検出されたポートに対応するＰＨＹ部を特定し、特定したＰＨＹ部に第一起動指令を送信する。
その後、本処理を終了する。
【００３２】
［２．２．ウェイクアップ処理＿２］
ＰＨＹ部が実行するウェイクアップ処理＿２について、図４のフローチャートを用いて説明する。
【００３３】
ウェイクアップ処理＿２は、中継装置１１の電源がオンであり、ＰＨＹ部が休止状態であるときに、ＰＨＹ部毎に実行される。
最初のステップＳ２１０では、ＰＨＹ部が、第一起動指令を受信したか否かを判断する。第一起動指令を受信したと判断された場合には、Ｓ２２０に移行する。第一起動指令を受信していないと判断された場合には、Ｓ２１０を繰り返し実行することにより、第一起動指令を受信したと判断されるまで待機する。
【００３４】
Ｓ２２０では、ＰＨＹ部が、休止状態から起動状態に切り替わる。その後、Ｓ２３０に移行する。
Ｓ２３０では、ＰＨＹ部が、フレームを受信したか否かを判断する。フレームを受信したと判断された場合には、Ｓ２４０に移行する。フレームを受信していないと判断された場合には、Ｓ２３０を繰り返し実行することにより、フレームを受信したと判断されるまで待機する。
【００３５】
Ｓ２４０では、ＰＨＹ部が、起動状態信号をスイッチ制御部３８に送信する。その後、Ｓ２５０に移行する。
Ｓ２５０では、ＰＨＹ部が、受信したフレームをスイッチ部３１に転送する。その後、本処理を終了する。
【００３６】
［２．３．ウェイクアップ処理＿３］
スイッチ制御部３８が実行するウェイクアップ処理＿３について、図５のフローチャートを用いて説明する。
【００３７】
ウェイクアップ処理＿３は、中継装置１１の電源がオンであるときに繰り返し実行される。
最初のステップＳ３１０では、スイッチ制御部３８が、起動状態信号を受信したか否かを判断する。起動状態信号を受信したと判断された場合には、Ｓ３２０に移行する。起動状態信号を受信していないと判断された場合には、Ｓ３１０を繰り返し実行することにより、起動状態信号を受信したと判断されるまで待機する。
【００３８】
Ｓ３２０では、スイッチ制御部３８が、第二起動指令をスイッチ部３１に送信する。その後、本処理を終了する。
［２．４．ウェイクアップ処理＿４］
スイッチ部３１が実行するウェイクアップ処理＿４について、図６のフローチャートを用いて説明する。
【００３９】
ウェイクアップ処理＿４は、中継装置１１の電源がオンであり、スイッチ部３１が休止状態であるときに実行される。
最初のステップＳ４１０では、スイッチ部３１が、第二起動指令を受信したか否かを判断する。第二起動指令を受信したと判断された場合には、Ｓ４２０に移行する。第二起動指令を受信していないと判断された場合には、Ｓ４１０を繰り返し実行することにより、第二起動指令を受信したと判断されるまで待機する。
【００４０】
Ｓ４２０では、スイッチ部３１が、休止状態から起動状態に切り替わる。その後、Ｓ４３０に移行する。
Ｓ４３０では、スイッチ部３１が、グループテーブルを参照して、フレームの宛先となるＥＣＵと同一のグループに属するすべてのＥＣＵを特定し、特定したＥＣＵが自中継装置のポートに接続されている場合は、そのポートに通信線を介して接続されるＰＨＹ部宛に、第三起動指令を送信する。また、ＥＣＵが他の中継装置のポートに接続されている場合は、該他の中継装置との接続に使用されているポートに、通信線を介して接続されるＰＨＹ部宛に、第三起動指令を送信する。その後、Ｓ４４０に移行する。
【００４１】
Ｓ４４０では、スイッチ部３１が、フレームを受信したか否かを判断する。フレームを受信したと判断された場合には、Ｓ４５０に移行する。フレームを受信していないと判断された場合には、Ｓ４４０を繰り返し実行することにより、フレームを受信したと判断されるまで待機する。
【００４２】
Ｓ４５０では、スイッチ部３１が、受信したフレームを転送する中継処理を実行する。その後、本処理を終了する。
［２．５．ウェイクアップ処理＿５］
ＰＨＹ部が実行するウェイクアップ処理＿５について、図７のフローチャートを用いて説明する。
【００４３】
ウェイクアップ処理＿５は、中継装置１１の電源がオンであり、ＰＨＹ部が休止状態であるときに、ＰＨＹ部毎に実行される。
最初のステップＳ５１０では、ＰＨＹ部が、第三起動指令を受信したか否かを判断する。第三起動指令を受信したと判断された場合には、Ｓ５２０に移行する。第三起動指令を受信していないと判断された場合には、Ｓ５１０を繰り返し実行することにより、第三起動指令を受信したと判断されるまで待機する。
【００４４】
Ｓ５２０では、ＰＨＹ部が、休止状態から起動状態に切り替わる。その後、本処理を終了する。
［２．５．スリープ処理＿１］
ＰＨＹ部が実行するスリープ処理＿１について、図８のフローチャートを用いて説明する。
【００４５】
スリープ処理＿１は、中継装置１１の電源がオンであり、ＰＨＹ部が起動状態であるときに、ＰＨＹ部毎に実行される。
最初のステップＳ６１０では、ＰＨＹ部が、スイッチ部３１から休止指令を受信したか否かを判断する。休止指令は、起動状態から休止状態に切り替わるよう要求する旨の信号である。休止指令を受信したと判断された場合には、Ｓ６２０に移行する。休止指令を受信していないと判断された場合には、Ｓ６１０を繰り返し実行することにより、休止指令を受信したと判断されるまで待機する。
【００４６】
Ｓ６２０では、ＰＨＹ部が、起動状態から休止状態に切り替わる。その後、本処理を終了する。
［２．６．スリープ処理＿２］
スイッチ部３１が実行するスリープ処理＿２について、図９のフローチャートを用いて説明する。
【００４７】
スリープ処理＿２は、中継装置１１の電源がオンであり、スイッチ部３１が起動状態であるときに実行される。
最初のステップＳ７１０では、スイッチ部３１が、休止通知を受信したか否かを判断する。休止通知は、ＥＣＵが、自装置が起動状態から休止状態に移行することを通知する旨の情報を格納したフレームである。休止通知は、予め設定された内容のフレームの一例である。休止通知を受信したと判断された場合には、Ｓ７２０に移行する。休止通知を受信していないと判断された場合には、Ｓ７１０を繰り返し実行することにより、休止通知を受信したと判断されるまで待機する。
【００４８】
Ｓ７２０では、スイッチ部３１が、グループテーブルを参照して、フレームの送信元となるＥＣＵと同一のグループに属するＥＣＵを特定し、特定したＥＣＵに通信線を介して接続されるＰＨＹ部宛に休止指令を送信する。その後、Ｓ７３０に移行する。
【００４９】
Ｓ７３０では、スイッチ部３１が、中継装置１１が備えるすべてのＰＨＹ部が休止状態になっているか否かを判断する。中継装置１１が備えるすべてのＰＨＹ部が休止状態になっていると判断された場合には、Ｓ７４０に移行する。中継装置１１が備えるすべてのＰＨＹ部のうちの一つ以上のＰＨＹ部が起動状態になっていると判断された場合には、本処理を終了する。
【００５０】
Ｓ７４０では、スイッチ部３１が、起動状態から休止状態に切り替わる。その後、本処理を終了する。
［３．効果］
以上詳述した実施形態によれば、以下の効果を奏する。
【００５１】
すなわち、通信データ検出部３７は、スイッチ部３１が休止状態にあり且つすべてのＰＨＹ部のそれぞれが休止状態にある場合に、フレームを検出した場合には、フレームが検出されたポートに対応するＰＨＹ部に第一起動指令を送信する。第一起動指令を受信したＰＨＹ部は、休止状態から起動状態に切り替わり、起動状態信号をスイッチ制御部３８に送信する。起動状態信号を受信したスイッチ制御部３８は、第二起動指令をスイッチ部３１に送信する。第二起動指令を受信したスイッチ部３１は、休止状態から起動状態に切り替わる。
【００５２】
このように、データの送受信が開始されると、ＰＨＹ部Ｙｉおよびスイッチ部３１が休止状態から起動状態に移行する。このため、省電力動作時であって、データの送受信が行われていない場合には、スイッチ部３１とともに、ＰＨＹ部Ｙｉを起動状態から休止状態に移行させることができるので、その分電力消費を低減させることができる。
【００５３】
したがって、中継装置１１，１２の消費電力を抑制することができる。
［４．他の実施形態］
以上、本開示の実施形態について説明したが、本開示は上述の実施形態に限定されることなく、種々変形して実施することができる。
【００５４】
（１）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【００５５】
（２）上述した中継装置の他、当該中継装置を構成要素とする通信システム、当該中継装置としてコンピュータを機能させるためのプログラム、このプログラムを記録した半導体メモリ等の非遷移的実態的記録媒体、中継方法など、種々の形態で本開示を実現することもできる。
【符号の説明】
【００５６】
１…通信ネットワーク、１１，１２…中継装置、２１，２２，２３，２４，２５，２６，２７，２８…ＥＣＵ、３１…スイッチ部、３１Ａ…中継実行部、３７…通信データ検出部、３８…スイッチ制御部、Ｂ１，Ｂ２，Ｂ３，Ｂ４，Ｂ５…バッファ、Ｔ１，Ｔ２，Ｔ３，Ｔ４，Ｔ５…通信実行部、Ｐ１，Ｐ２，Ｐ３，Ｐ４，Ｐ５ポートＹ１，Ｙ２，Ｙ３，Ｙ４，Ｙ５…ＰＨＹ部。
【図１】
2018074243.tif 000003
【図２】
2018074243.tif 000004
【図３】
2018074243.tif 000005
【図４】
2018074243.tif 000006
【図５】
2018074243.tif 000007
【図６】
2018074243.tif 000008
【図７】
2018074243.tif 000009
【図８】
2018074243.tif 000010
【図９】
2018074243.tif 000011